(57)【要約】【課題】コストの増加を抑えつつ、施工ミスなどによる光源部の被水をより確実に抑制可能な照明装置、水回り部材、及び浴室ユニットを提供する。【解決手段】水回り設備の壁面に設けられた水回り部材に取り付けられる照明装置であって、光を照射する照明部材と、前記水回り部材の下方に向けて光を照射するように、前記照明部材を前記水回り部材の下部に取り付けるための取付部材と、を備え、前記照明部材は、左右方向に延びた光源部と、前記左右方向に連続した筒状であり、内部に前記光源部を収納する透光性の収納ケースと、前記収納ケースの前記左右方向の両端の開口を塞ぐ一対のキャップと、を有し、前記取付部材は、前記水回り部材に固定される固定部と、前記収納ケースを係合によって支持する支持部と、を有することを特徴とする照明装置である。【選択図】図１
2018163791.tif 000002
【特許請求の範囲】
【請求項１】
水回り設備の壁面に設けられた水回り部材に取り付けられる照明装置であって、
光を照射する照明部材と、
前記水回り部材の下方に向けて光を照射するように、前記照明部材を前記水回り部材の下部に取り付けるための取付部材と、
を備え、
前記照明部材は、
左右方向に延びた光源部と、
前記左右方向に連続した筒状であり、内部に前記光源部を収納する透光性の収納ケースと、
前記収納ケースの前記左右方向の両端の開口を塞ぐ一対のキャップと、
を有し、
前記取付部材は、
前記水回り部材に固定される固定部と、
前記収納ケースを係合によって支持する支持部と、
を有することを特徴とする照明装置。
【請求項２】
前記支持部は、前記収納ケースの前面を覆う第１部分と、前記収納ケースの後面を覆う第２部分と、前記収納ケースの上面を覆う第３部分と、を有し、前記第１部分及び前記第２部分を前記収納ケースに係合させることにより、前記収納ケースを支持し、
さらに、前記支持部は、遮光性を有することを特徴とする請求項１記載の照明装置。
【請求項３】
前記支持部の前記左右方向の少なくとも一端側は、前記第１部分及び前記第２部分に前記収納ケースを係合させながら、前記第１部分と前記第２部分との間に前記収納ケースを挿入可能とする開口部を有することを特徴とする請求項２記載の照明装置。
【請求項４】
前記水回り部材は、浴室ユニットの壁面に取り付けられるカウンター部材であり、
前記支持部の剛性は、前記収納ケースの剛性よりも高いことを特徴とする請求項１〜３のいずれか１つに記載の照明装置。
【請求項５】
水回り設備の壁面に設けられる本体部と、
前記本体部の下部に取り付けられた請求項３記載の照明装置と、
を備え、
前記本体部は、前記開口部を隠蔽するように前記支持部の前記左右方向の前記少なくとも一端側を覆うカバーを有することを特徴とする水回り部材。
【請求項６】
水回り設備の壁面に設けられる本体部と、
前記本体部の下部に取り付けられた請求項２又は３に記載の照明装置と、
を備え、
前記本体部は、前記支持部の前面又は後面を覆うカバーを有し、
前記支持部は、前記前面又は後面に設けられ、上方からの係合を可能とする係合部を有し、
前記カバーの前記支持部側の下端部は、前記収納ケースの下面よりも下方に下がらないように、前記係合部の上に係合していることを特徴とする水回り部材。
【請求項７】
請求項３記載の照明装置を備えた浴室ユニットであって、
浴槽と、
前記浴槽に隣接する洗い場床と、
前記洗い場床を挟んで前記浴槽と相対する第１壁面を有する第１壁パネルと、
前記浴槽と前記第１壁面との間に設けられた第２壁面を有する第２壁パネルと、
を備え、
前記水回り部材は、前記第２壁面に取り付けられたカウンター部材であり、
前記開口部は、前記浴槽及び前記第１壁面の少なくとも一方と相対し、
前記浴槽及び前記第１壁面の前記少なくとも一方から前記開口部までの距離は、前記収納ケースの前記左右方向の長さよりも長いことを特徴とする浴室ユニット。
【請求項８】
請求項３記載の照明装置を備えた浴室ユニットであって、
第１壁面を有する第１壁パネルと、
第２壁面を有する第２壁パネルと、
第３壁面を有する第３壁パネルと、
を備え、
前記第３壁パネルは、前記第１壁パネルと相対し、
前記第２壁パネルは、前記第１壁パネルと前記第３壁パネルとの間に設けられ、
前記水回り部材は、前記第２壁面に取り付けられたカウンター部材であり、
前記カウンター部材は、前記第２壁面に沿って前記第１壁面側から前記第３壁面側まで延びる長尺状であり、
前記開口部は、前記第１壁面及び前記第３壁面の少なくとも一方と相対し、
前記第１壁面及び前記第３壁面の前記少なくとも一方から前記開口部までの距離は、前記収納ケースの前記左右方向の長さよりも短いことを特徴とする浴室ユニット。
【発明の詳細な説明】
【技術分野】
【０００１】
本発明の態様は、一般的に、照明装置、水回り部材、及び浴室ユニットに関する。
【背景技術】
【０００２】
浴室ユニットなどの水回り設備に設けられた水回り部材に取り付けて使用される照明装置がある。水回り部材は、例えば、浴室ユニットの壁面に取り付けられる横長状のカウンターである。照明装置は、カウンターの下面に設けられ、カウンターの下方を照らす。これにより、カウンターの下方の空間を明るくし、カウンターの下方に暗がりが生じてしまうことを抑制することができる。
【０００３】
照明装置は、例えば、光を照射する光源部と、光源部を覆って保護する透光性のカバーと、を有する。カバーは、カウンターなどの水回り部材の下面に直接取り付けられる（例えば、特許文献１参照）。
【０００４】
しかしながら、このような構成では、カバーと水回り部材との接合部分の全域に亘ってシール性を確保しなければならない。このため、シーリング材やコーキング材などのシール性を確保するための部材コストが高くなってしまう。また、施工ミスなどによってカバー内に水が浸入し、光源部が被水してしまう可能性もある。従って、照明装置、水回り部材、及び浴室ユニットでは、コストの増加を抑えつつ、施工ミスなどによる光源部の被水をより確実に抑制可能とすることが望まれる。
【先行技術文献】
【特許文献】
【０００５】
【特許文献１】特開２００２−１７２０７０号公報
【発明の概要】
【発明が解決しようとする課題】
【０００６】
本発明は、かかる課題の認識に基づいてなされたものであり、コストの増加を抑えつつ、施工ミスなどによる光源部の被水をより確実に抑制可能な照明装置、水回り部材、及び浴室ユニットを提供することを目的とする。
【課題を解決するための手段】
【０００７】
第１の発明は、水回り設備の壁面に設けられた水回り部材に取り付けられる照明装置であって、光を照射する照明部材と、前記水回り部材の下方に向けて光を照射するように、前記照明部材を前記水回り部材の下部に取り付けるための取付部材と、を備え、前記照明部材は、左右方向に延びた光源部と、前記左右方向に連続した筒状であり、内部に前記光源部を収納する透光性の収納ケースと、前記収納ケースの前記左右方向の両端の開口を塞ぐ一対のキャップと、を有し、前記取付部材は、前記水回り部材に固定される固定部と、前記収納ケースを係合によって支持する支持部と、を有することを特徴とする照明装置である。
【０００８】
この照明装置によれば、連続した筒状の収納ケースに光源部を収納し、収納ケースの両端の開口を一対のキャップで塞いでいる。これにより、カバーと水回り部材との接合部分の全域をシールする場合などと比べて、シールが必要な領域を低減させることができる。また、取付部材は、係合によって収納ケースを支持している。これにより、収納ケースにネジ孔などを設ける必要がなく、シールが必要な領域を、より低減させることができる。従って、コストの増加を抑えつつ、施工ミスなどによる光源部の被水をより確実に抑制することができる。また、収納ケースは、連続した筒状であるため、押出成形などによって比較的容易に成形することができる。これにより、部材コストをより抑えることができる。
【０００９】
第２の発明は、第１の発明において、前記支持部は、前記収納ケースの前面を覆う第１部分と、前記収納ケースの後面を覆う第２部分と、前記収納ケースの上面を覆う第３部分と、を有し、前記第１部分及び前記第２部分を前記収納ケースに係合させることにより、前記収納ケースを支持し、さらに、前記支持部は、遮光性を有することを特徴とする照明装置である。
【００１０】
この照明装置によれば、収納ケースの下面以外からの光の漏れを支持部によって抑制することができ、下面からの光の照度を向上させることができる。
【００１１】
第３の発明は、第２の発明において、前記支持部の前記左右方向の少なくとも一端側は、前記第１部分及び前記第２部分に前記収納ケースを係合させながら、前記第１部分と前記第２部分との間に前記収納ケースを挿入可能とする開口部を有することを特徴とする照明装置である。
【００１２】
この照明装置によれば、収納ケースを係合させながら支持部に挿入することができるので、収納ケースの取付作業性を向上させることができる。また、収納ケース内の光源部の発する熱などによって収納ケースが膨張したとしても、開口部から収納ケースの膨張した部分を逃がすことができ、収納ケースの破損などを抑制することができる。
【００１３】
第４の発明は、第１〜第３のいずれか１つの発明において、前記水回り部材は、浴室ユニットの壁面に取り付けられるカウンター部材であり、前記支持部の剛性は、前記収納ケースの剛性よりも高いことを特徴とする照明装置である。
【００１４】
例えば、カウンター部材が長尺に形成された場合、デザイン性の面から、照明装置から照射される光の幅も、カウンター部材の長さに合わせて長くすることが好ましい。この場合、収納ケースもカウンター部材の長さに合わせて長尺にする必要がある。第４の発明に係る照明装置によれば、支持部の剛性を高くすることにより、自重による収納ケースの撓みを抑制することができる。これにより、収納ケースや光源部の破損などを抑制することができる。
【００１５】
第５の発明は、水回り設備の壁面に設けられる本体部と、前記本体部の下部に取り付けられた第３の発明の照明装置と、を備え、前記本体部は、前記開口部を隠蔽するように前記支持部の前記左右方向の前記少なくとも一端側を覆うカバーを有することを特徴とする水回り部材である。
【００１６】
この水回り部材によれば、開口部を隠蔽できるため、水回り部材の意匠性を向上させることができる。また、開口部を隠蔽することにより、使用者が収納ケースを外してしまうことを抑制でき、使用者がキャップを外すなどして収納ケースのシール性を低下させてしまうことを抑制することができる。
【００１７】
第６の発明は、水回り設備の壁面に設けられる本体部と、前記本体部の下部に取り付けられた第２又は第３の発明の照明装置と、を備え、前記本体部は、前記支持部の前面又は後面を覆うカバーを有し、前記支持部は、前記前面又は後面に設けられ、上方からの係合を可能とする係合部を有し、前記カバーの前記支持部側の下端部は、前記収納ケースの下面よりも下方に下がらないように、前記係合部の上に係合していることを特徴とする水回り部材である。
【００１８】
この水回り部材によれば、カバーの自重により、カバーの支持部側の下端部が、収納ケースの下面よりも下方に下がってしまうことを抑制することができる。これにより、カバーの支持部側の下端部によって、照明部材から照明される光の一部が遮られ、照明部材の照射範囲が、目標とする範囲よりも狭くなってしまうことを抑制することができる。
【００１９】
第７の発明は、第３の発明の照明装置を備えた浴室ユニットであって、浴槽と、前記浴槽に隣接する洗い場床と、前記洗い場床を挟んで前記浴槽と相対する第１壁面を有する第１壁パネルと、前記浴槽と前記第１壁面との間に設けられた第２壁面を有する第２壁パネルと、を備え、前記水回り部材は、前記第２壁面に取り付けられたカウンター部材であり、前記開口部は、前記浴槽及び前記第１壁面の少なくとも一方と相対し、前記浴槽及び前記第１壁面の前記少なくとも一方から前記開口部までの距離は、前記収納ケースの前記左右方向の長さよりも長いことを特徴とする浴室ユニットである。
【００２０】
この浴室ユニットによれば、取付部材をカウンター部材に取り付けた状態のまま、収納ケースを取付部材の開口部から抜き出して取り外すことができるため、施工後のメンテナンス作業などをし易くすることができる。通常、浴槽と第１壁面との間の距離はそれほど長くはないため、このような空間に配置されるカウンター部材はそれほど長尺にはならならない。そのため、収納ケースもそれほど長尺にはならず、収納ケースのみを取付部材から取り外しても収納ケースが自重によって破損するほど撓む可能性も低い。従って、浴槽と第１壁面との間に照明装置を設けた場合には、収納ケースのみを取り外すことも可能である。
【００２１】
第８の発明は、第３の発明の照明装置を備えた浴室ユニットであって、第１壁面を有する第１壁パネルと、第２壁面を有する第２壁パネルと、第３壁面を有する第３壁パネルと、を備え、前記第３壁パネルは、前記第１壁パネルと相対し、前記第２壁パネルは、前記第１壁パネルと前記第３壁パネルとの間に設けられ、前記水回り部材は、前記第２壁面に取り付けられたカウンター部材であり、前記カウンター部材は、前記第２壁面に沿って前記第１壁面側から前記第３壁面側まで延びる長尺状であり、前記開口部は、前記第１壁面及び前記第３壁面の少なくとも一方と相対し、前記第１壁面及び前記第３壁面の前記少なくとも一方から前記開口部までの距離は、前記収納ケースの前記左右方向の長さよりも短いことを特徴とする浴室ユニットである。
【００２２】
この浴室ユニットによれば、収納ケースを取付部材から抜こうとした時に、収納ケースが第１壁面又は第３壁面に干渉するため、収納ケースを取付部材から抜くことができない。これにより、メンテナンス時などに作業者が長尺な収納ケースだけを取り外してしまうことを抑制することができる。従って、長尺な収納ケースが撓んで破損してしまうことなどを抑制することができる。
【発明の効果】
【００２３】
本発明の態様によれば、コストの増加を抑えつつ、施工ミスなどによる光源部の被水をより確実に抑制可能な照明装置、水回り部材、及び浴室ユニットが提供される。
【図面の簡単な説明】
【００２４】
【図１】実施形態に係る照明装置を模式的に表す斜視図である。
【図２】実施形態に係る照明装置を模式的に表す分解斜視図である。
【図３】図３（ａ）及び図３（ｂ）は、実施形態に係る照明装置を模式的に表す側面図である。
【図４】実施形態に係る照明装置を模式的に表す説明図である。
【図５】図５（ａ）〜図５（ｃ）は、実施形態に係る照明装置を模式的に表す斜視図である。
【図６】実施形態に係る浴室ユニットを模式的に表す斜視図である。
【図７】実施形態に係る浴室ユニットを模式的に表す正面図である。
【図８】実施形態に係るカウンター部材を模式的に表す分解斜視図である。
【図９】実施形態に係るカウンター部材を模式的に表す断面図である。
【図１０】実施形態に係るカウンター部材を模式的に表す側面図である。
【図１１】実施形態に係るカウンター部材を模式的に表す分解斜視図である。
【図１２】実施形態に係るカウンター部材を模式的に表す断面図である。
【発明を実施するための形態】
【００２５】
以下、本発明の実施の形態について図面を参照しつつ説明する。なお、各図面中、同様の構成要素には同一の符号を付して詳細な説明は適宜省略する。  
図１は、実施形態に係る照明装置を模式的に表す斜視図である。  
図２は、実施形態に係る照明装置を模式的に表す分解斜視図である。  
図３（ａ）及び図３（ｂ）は、実施形態に係る照明装置を模式的に表す側面図である。  図４は、実施形態に係る照明装置を模式的に表す説明図である。  
図１〜図４に表したように、照明装置１０は、照明部材１２と、取付部材１４と、を備える。照明装置１０は、水回り設備の壁面に設けられた水回り部材に取り付けられる。
【００２６】
照明部材１２は、光（可視光）を照射する。取付部材１４は、水回り部材の下方に向けて光を照射するように、照明部材１２を水回り部材の下部に取り付けるための部材である。水回り設備は、例えば、浴室ユニットである。水回り部材は、例えば、浴室ユニットの壁面に設けられ、洗面器やシャンプーのボトルなどの物品を載置可能とするカウンター部材である。照明装置１０は、例えば、カウンター部材の下部に取り付けられ、カウンター部材の下方に向けて光を照射することにより、カウンター部材の下方の空間に暗がりが生じてしまうことを抑制する。
【００２７】
水回り設備は、浴室ユニットに限ることなく、例えば、トイレ、洗面化粧台、あるいはシステムキッチンなどでもよい。水回り設備は、浴室、トイレ空間、洗面空間、キッチンなどの水回りで用いられる任意の設備でよい。水回り部材は、カウンター部材に限ることなく、例えば、キャビネットなどでもよい。水回り部材は、水回り設備の壁面に取り付けて使用される任意の部材でよい。また、水回り設備の壁面は、例えば、壁パネルなどによって形成される側壁である。水回り設備の壁面は、例えば、天井面（上壁）でもよい。
【００２８】
照明部材１２は、光源部２０と、収納ケース２２と、一対のキャップ２４、２６と、を有する。光源部２０は、左右方向に延びた横長状である。光源部２０は、例えば、基板３０と、基板３０の表面に並べて設けられた複数の発光体３２と、を有する。基板３０は、例えば、横長な平板状である。各発光体３２は、少なくとも左右方向に並べて配置される。これにより、基板３０及び各発光体３２は、左右方向に直線状に延びた幅広な光を照射する光源を形成する。光源部２０は、いわゆるライン照明である。
【００２９】
発光体３２には、例えば、ＬＥＤ（Light Emitting Diode）、ＬＤ（Laser Diode）、又はＯＬＥＤ（Organic Light Emitting Diode）などが用いられる。例えば、有機ＥＬ（Electro-Luminescence）素子などの面発光型の素子を発光体３２として用いる場合には、発光体３２は、１つでもよい。発光体３２は、上記に限ることなく、任意の素子でよい。
【００３０】
収納ケース２２は、左右方向に連続した筒状である。収納ケース２２は、例えば、光源部２０の左右方向の両端間に亘って連続した筒状である。収納ケース２２は、例えば、断面略矩形の筒状である。収納ケース２２は、内部に光源部２０を収納する。収納ケース２２は、透光性を有する。光源部２０から照射された光は、収納ケース２２を透過して外部に出射される。
【００３１】
収納ケース２２には、例えば、ポリカーボネイト樹脂、ポリプロピレン樹脂、ＡＢＳ（Acrylonitrile‐Butadiene‐Styrene）樹脂、アクリル樹脂などの透光性を有する樹脂材料が用いられる。これにより、例えば、押出成形などによって収納ケース２２を容易に成形することができる。
【００３２】
キャップ２４は、収納ケース２２の左右方向の一端に取り付けられ、収納ケース２２の左右方向の一方の開口２２ａを塞ぐ。キャップ２６は、収納ケース２２の左右方向の他端に取り付けられ、収納ケース２２の左右方向の他方の開口２２ｂを塞ぐ。
【００３３】
これにより、収納ケース２２及び各キャップ２４、２６は、シール性を有する空間ＳＰ１を形成する。収納ケース２２及び各キャップ２４、２６は、この空間ＳＰ１内に光源部２０を収納する。これにより、光源部２０の被水が抑制される。
【００３４】
また、照明部材１２は、例えば、放熱板２８をさらに有する。放熱板２８は、基板３０（光源部２０）を支持する。放熱板２８は、例えば、基板３０の各発光体３２が設けられた表面と反対側の面に接触することにより、基板３０と熱的に結合する。これにより、放熱板２８は、各発光体３２の点灯にともなって発生する熱を放熱する。放熱板２８には、例えば、アルミニウムや銅などの熱伝導率の高い金属材料などが用いられる。基板３０は、放熱板２８に支持された状態で、収納ケース２２内に収納される。放熱板２８は、例えば、収納ケース２２内の所定の位置に光源部２０を支持する支持体としても機能する。例えば、発光体３２に有機ＥＬ素子などの発熱量の少なくい素子を用いる場合などには、必ずしも放熱板２８を設けなくてもよい。
【００３５】
取付部材１４は、固定部４０と、支持部４２と、を有する。固定部４０は、水回り部材に固定される。支持部４２は、固定部４０に設けられ、収納ケース２２を係合によって支持する。
【００３６】
支持部４２は、第１部分４２ａと、第２部分４２ｂと、第３部分４２ｃと、を有する。第１部分４２ａは、収納ケース２２の前面を覆う。第２部分４２ｂは、収納ケース２２の後面を覆う。第３部分４２ｃは、収納ケース２２の上面を覆う。支持部４２は、換言すれば、下方に開口した断面略Ｕ字状の部材である。支持部４２は、第１部分４２ａ及び第２部分４２ｂを収納ケース２２に係合させることにより、収納ケース２２を支持する。換言すれば、支持部４２は、第１部分４２ａ及び第２部分４２ｂで収納ケース２２を前後に挟むことにより、収納ケース２２を支持する。
【００３７】
支持部４２には、例えば、鉄、ステンレス、又はアルミニウムなどの金属材料が用いられる。支持部４２は、遮光性を有する。支持部４２は、照明部材１２から照射された光に対して光反射性を有する。これにより、支持部４２は、照明部材１２から照射された光を下方のみに向けて出射させる。
【００３８】
また、前述のように、収納ケース２２には、樹脂材料が用いられる。従って、支持部４２の剛性は、収納ケース２２の剛性よりも高い。これにより、収納ケース２２を支持部４２に支持させることで、樹脂材料からなる収納ケース２２を長尺状にした場合などにも、収納ケース２２の撓みを抑制することができる。例えば、収納ケース２２内に収納された光源部２０が、収納ケース２２の撓みによって破損してしまうことなどを抑制することができる。
【００３９】
照明装置１０は、例えば、連通配管５０と、接続部材５２と、ホースバンド５３、５４と、虫侵入抑制部材５６と、配線部材５８と、をさらに備える。
【００４０】
連通配管５０は、例えば、水回り設備が浴室ユニットである場合に、照明装置１０に設けられる。水回り設備が浴室ユニット以外である場合、連通配管５０は、省略可能である。連通配管５０の一端は、照明部材１２に接続される。連通配管５０の他端は、浴室ユニットの壁パネルＷＰに接続される。これにより、連通配管５０は、照明部材１２の内部の空間ＳＰ１と、壁パネルＷＰの裏側の空間ＳＰ２と、を連通させる。
【００４１】
キャップ２４は、連通配管５０を接続するための接続口２４ａと、収納ケース２２を接続するための接続口２４ｂと、接続口２４ａと接続口２４ｂとを接続する管路２４ｃと、を有する。キャップ２４は、例えば、略Ｌ字状に屈曲した配管状である。キャップ２４は、接続口２４ｂを収納ケース２２の一方の開口２２ａに挿し込むことにより、収納ケース２２の一方の開口２２ａを塞ぐとともに、管路２４ｃを筒状の収納ケース２２の内部の空間２２ｃと連通させる。空間ＳＰ１は、例えば、収納ケース２２の内部の空間２２ｃと、キャップ２４の管路２４ｃと、によって構成される。
【００４２】
連通配管５０の一端は、接続口２４ａに接続される。これにより、連通配管５０の内部の空間５０ａが、照明部材１２の内部の空間ＳＰ１と連通する。照明部材１２と連通配管５０との接続は、キャップ２４の接続口２４ａに限定されるものではない。例えば、収納ケース２２に接続口を設け、収納ケース２２に連通配管５０の一端を接続することにより、連通配管５０の内部の空間５０ａと照明部材１２の内部の空間ＳＰ１とを連通させてもよい。
【００４３】
接続部材５２は、連通配管５０と浴室ユニットの壁パネルＷＰとの接続に用いられる。接続部材５２は、筒状の本体部５２ａと、本体部５２ａの外周面から径を大きくするように外側に突出したフランジ部５２ｂと、を有する。
【００４４】
壁パネルＷＰには、接続部材５２の本体部５２ａの形状に対応した開口ＷＰａが設けられる。接続部材５２は、浴室ユニットの室内側から本体部５２ａの後端部分を壁パネルＷＰの開口ＷＰａに挿通する。そして、接続部材５２は、フランジ部５２ｂで開口ＷＰａを塞ぎ、フランジ部５２ｂの部分で壁パネルＷＰにネジ止めされることなどにより、壁パネルＷＰに取り付けられる。
【００４５】
連通配管５０の他端は、接続部材５２の本体部５２ａに接続される。これにより、収納ケース２２の内部の空間２２ｃから、キャップ２４の管路２４ｃ、連通配管５０、及び接続部材５２の本体部５２ａを介して壁パネルＷＰの裏側の空間ＳＰ２へと至る経路が形成され、連通配管５０によって、照明部材１２内の空間ＳＰ１と壁パネルＷＰの裏側の空間ＳＰ２とが連通する。
【００４６】
連通配管５０は、可撓性を有する。連通配管５０には、例えば、ゴムチューブや金属製のフレキシブルホースなどが用いられる。但し、連通配管５０は、必ずしも可撓性を有していなくてもよい。連通配管５０は、金属や樹脂などを用いたリジッドな配管などでもよい。
【００４７】
ホースバンド５３は、連通配管５０とキャップ２４の接続口２４ａとの接続部に取り付けられ、連通配管５０の上から連通配管５０及び接続口２４ａを締め付けることにより、連通配管５０の抜けを抑制する。ホースバンド５４は、連通配管５０と接続部材５２の本体部５２ａとの接続部に取り付けられ、連通配管５０の上から連通配管５０及び本体部５２ａを締め付けることにより、連通配管５０の抜けを抑制する。
【００４８】
虫侵入抑制部材５６は、照明部材１２内の空間ＳＰ１と壁パネルＷＰの裏側の空間ＳＰ２との間の経路上に設けられる。虫侵入抑制部材５６は、照明部材１２内の空間ＳＰ１と壁パネルＷＰの裏側の空間ＳＰ２との間での空気の流動を許容しつつ、壁パネルＷＰの裏側から虫の侵入を抑制可能な複数の孔５６ａを有する。
【００４９】
虫侵入抑制部材５６は、弾性を有する。虫侵入抑制部材５６には、例えば、ナイロンなどの化学繊維を押し固めた不織布が用いられる。図４では、便宜的に孔５６ａを直線状に図示している。虫侵入抑制部材５６に不織布を用いた場合、孔５６ａは、実際には、押し固められた繊維の隙間を縫うように延びる複雑な形状である。
【００５０】
虫侵入抑制部材５６は、必ずしも弾性を有していなくてもよい。虫侵入抑制部材５６は、例えば、複数の貫通孔が設けられた板状又はブロック状の硬質な部材でもよい。あるいは、虫侵入抑制部材５６は、薄いフィルム状の部材などでもよい。虫侵入抑制部材５６の形状及び材料は、空気を通しつつ、虫の侵入を抑制可能な任意の形状及び材料でよい。孔５６ａの空気の通る方向と直交する方向の幅（開口幅）は、例えば、１μｍ以上２ｍｍ以下である。これにより、適切に空気を通しつつ、点灯時に収納ケース２２の外側から影となって視認されてしまうような比較的大きなサイズの虫の侵入を適切に抑制することができる。
【００５１】
虫侵入抑制部材５６は、例えば、照明部材１２内の空間ＳＰ１と壁パネルＷＰの裏側の空間ＳＰ２との間の経路のうち、連通配管５０のみによって囲まれた空間５０ａよりも照明部材１２（収納ケース２２）側又は壁パネルＷＰ側に設けられる。
【００５２】
虫侵入抑制部材５６は、例えば、照明部材１２のキャップ２４の接続口２４ａ内に設けられる。これとは反対に、例えば、接続部材５２の本体部５２ａ内に虫侵入抑制部材５６を設けてもよい。あるいは、連通配管５０のみによって囲まれた空間５０ａ内に虫侵入抑制部材５６を設けてもよい。虫侵入抑制部材５６の位置は、照明部材１２内の空間ＳＰ１と壁パネルＷＰの裏側の空間ＳＰ２との間の経路上の任意の位置でよい。
【００５３】
配線部材５８は、収納ケース２２内で基板３０と接続され、基板３０に電力を供給するための配線である。配線部材５８は、連通配管５０内に挿通され、壁パネルＷＰの裏側の空間ＳＰ２に入り込む。より詳しくは、配線部材５８は、収納ケース２２、キャップ２４、連通配管５０、及び接続部材５２を介して、壁パネルＷＰの裏側の空間ＳＰ２に入り込む。
【００５４】
配線部材５８の一端５８ａは、収納ケース２２内において基板３０に接続される。配線部材５８の他端５８ｂは、壁パネルＷＰの裏側の空間ＳＰ２内に位置する。配線部材５８の他端５８ｂは、例えば、壁パネルＷＰの裏側の空間ＳＰ２内において、電源装置ＰＵに接続される。電源装置ＰＵは、配線部材５８を介して基板３０に電力を供給する。各発光体３２は、例えば、電源装置ＰＵからの電力の供給に応じて点灯し、電源装置ＰＵからの電力の供給の停止に応じて消灯する。
【００５５】
図５（ａ）〜図５（ｃ）は、実施形態に係る照明装置を模式的に表す斜視図である。  
図５（ａ）〜図５（ｃ）に表したように、支持部４２は、開口部４２ｄを有する。開口部４２ｄは、支持部４２の左右方向の一端側に設けられている。開口部４２ｄは、第１部分４２ａ及び第２部分４２ｂに収納ケース２２を係合させながら、第１部分４２ａと第２部分４２ｂとの間に収納ケース２２を挿入可能とする。開口部４２ｄは、支持部４２の左右方向の両端に設けてもよい。開口部４２ｄは、支持部４２の左右方向の少なくとも一端側に設けられていればよい。
【００５６】
図６は、実施形態に係る浴室ユニットを模式的に表す斜視図である。  
図７は、実施形態に係る浴室ユニットを模式的に表す正面図である。  
図６及び図７に表したように、浴室ユニット１００（水回り設備）は、浴槽１０２と、洗い場床１０４と、鏡１０６と、第１壁パネル１１１と、第２壁パネル１１２と、第３壁パネル１１３と、カウンター部材２００、３００（水回り部材）と、を備える。
【００５７】
洗い場床１０４は、浴槽１０２に隣接して設けられる。第１壁パネル１１１は、洗い場床１０４を挟んで浴槽１０２と相対する第１壁面１１１ａを有する。第３壁パネル１１３は、第１壁パネル１１１と相対する。第３壁パネル１１３は、第１壁パネル１１１の第１壁面１１１ａと相対する第３壁面１１３ａを有する。第２壁パネル１１２は、第１壁パネル１１１と第３壁パネル１１３との間に設けられる。第２壁パネル１１２は、第２壁面１１２ａを有する。第２壁面１１２ａの一部は、浴槽１０２と第１壁面１１１ａとの間に設けられている。浴室ユニット１００は、例えば、浴槽１０２、洗い場床１０４、及び周囲の各壁パネル１１１〜１１３などをユニット化した、いわゆるユニットバスやシステムバスである。
【００５８】
鏡１０６及び各カウンター部材２００、３００は、第２壁パネル１１２に取り付けられる。カウンター部材３００は、洗面器やシャンプーのボトルなどを載置可能とする。カウンター部材３００は、例えば、洗い場床１０４に置かれた風呂椅子などに腰掛けた状態の使用者に対し、載置した洗面器などが使用し易い高さに設けられる。カウンター部材３００は、例えば、第２壁面１１２ａのうち、浴槽１０２と第１壁面１１１ａとの間の部分に設けられる。カウンター部材３００は、いわゆる洗面器カウンターである。
【００５９】
カウンター部材２００は、カウンター部材３００よりも上方に設けられる。カウンター部材２００は、上部にシャンプーのボトルなどの物品を載置可能とする。カウンター部材２００は、第２壁面１１２ａに沿って第１壁面１１１ａ側から第３壁面１１３ａ側まで延びる長尺状である。また、カウンター部材２００は、例えば、水栓機能を有する。カウンター部材２００は、換言すれば、水栓カウンターである。カウンター部材２００は、例えば、カウンター部材３００の上に載置された洗面器に向けて水を吐止水する。カウンター部材２００は、必ずしも水栓機能を有していなくてもよい。
【００６０】
鏡１０６は、例えば、カウンター部材２００よりも上方に設けられ、洗い場床１０４に置かれた風呂椅子などに腰掛けた状態の使用者が、自身の顔などを確認できるようにする。
【００６１】
浴室ユニット１００は、カウンター部材２００に設けられた照明装置１０ａと、カウンター部材３００に設けられた照明装置１０ｂと、を備える。照明装置１０ａ及び照明装置１０ｂは、左右方向の長さが異なるだけで、構成は、図１〜図５に関して説明した照明装置１０と同様である。
【００６２】
照明装置１０ａは、カウンター部材２００の下部に設けられ、カウンター部材２００から下方に向けて光を照射することにより、カウンター部材２００の下方に暗がりが生じてしまうことを抑制する。同様に、照明装置１０ｂは、カウンター部材３００の下部に設けられ、カウンター部材３００から下方に向けて光を照射することにより、カウンター部材３００の下方に暗がりが生じてしまうことを抑制する。
【００６３】
照明装置１０ａの支持部４２の左右方向の一端側に設けられた開口部４２ｄは、第１壁面１１１ａ及び第３壁面１１３ａの少なくとも一方と相対する。開口部４２ｄが第１壁面１１１ａと相対している場合、第１壁面１１１ａから開口部４２ｄまでの距離Ｄ１１は、収納ケース２２の左右方向の長さＬ１１よりも短い。開口部４２ｄが第１壁面１１１ａと相対している場合、第１壁面１１１ａから開口部４２ｄまでの距離Ｄ１１は、収納ケース２２に各キャップ２４、２６を取り付けた状態のキャップ２４の端部からキャップ２６の端部までの長さＬ１２（図５（ａ）参照）よりも短い。同様に、開口部４２ｄが第３壁面１１３ａと相対している場合、第３壁面１１３ａから開口部４２ｄまでの距離Ｄ１２は、収納ケース２２の左右方向の長さＬ１１よりも短い。開口部４２ｄが第３壁面１１３ａと相対している場合、第３壁面１１３ａから開口部４２ｄまでの距離Ｄ１２は、収納ケース２２に各キャップ２４、２６を取り付けた状態のキャップ２４の端部からキャップ２６の端部までの長さＬ１２よりも短い。
【００６４】
この例では、距離Ｄ１１、Ｄ１２のそれぞれが、長さＬ１１、Ｌ１２よりも短くなっている。これに限ることなく、距離Ｄ１１、Ｄ１２は、開口部４２ｄと相対する少なくとも一方側において、上記の関係を満たしていればよい。
【００６５】
照明装置１０ｂの支持部４２の左右方向の一端側に設けられた開口部４２ｄは、浴槽１０２及び第１壁面１１１ａの少なくとも一方と相対する。開口部４２ｄが第１壁面１１１ａと相対している場合、第１壁面１１１ａから開口部４２ｄまでの距離Ｄ２１は、収納ケース２２の左右方向の長さＬ２１よりも長い。開口部４２ｄが第１壁面１１１ａと相対している場合、第１壁面１１１ａから開口部４２ｄまでの距離Ｄ２１は、収納ケース２２に各キャップ２４、２６を取り付けた状態のキャップ２４の端部からキャップ２６の端部までの長さＬ２２（図５（ａ）参照）よりも長い。同様に、開口部４２ｄが浴槽１０２と相対している場合、浴槽１０２から開口部４２ｄまでの距離Ｄ２２は、収納ケース２２の左右方向の長さＬ２１よりも長い。開口部４２ｄが浴槽１０２と相対している場合、浴槽１０２から開口部４２ｄまでの距離Ｄ２２は、収納ケース２２に各キャップ２４、２６を取り付けた状態のキャップ２４の端部からキャップ２６の端部までの長さＬ２２よりも長い。
【００６６】
この例では、距離Ｄ２１、Ｄ２２のそれぞれが、長さＬ２１、Ｌ２２よりも長くなっている。これに限ることなく、距離Ｄ２１、Ｄ２２は、開口部４２ｄと相対する少なくとも一方側において、上記の関係を満たしていればよい。
【００６７】
図８は、実施形態に係るカウンター部材を模式的に表す分解斜視図である。  
図９は、実施形態に係るカウンター部材を模式的に表す断面図である。  
図１０は、実施形態に係るカウンター部材を模式的に表す側面図である。  
図８〜図１０に表したように、カウンター部材２００は、第２壁パネル１１２の第２壁面１１２ａに設けられる本体部２０１と、本体部２０１の下部に取り付けられた照明装置１０ａと、を備える。
【００６８】
本体部２０１は、例えば、天板２０２と、複数の支持体２０４と、水栓機能部２０６と、補強板２０８、２１０、２１２と、側方カバー２１４、２１６と、カバー２１８と、下側カバー２２０（カバー）と、を有する。
【００６９】
天板２０２は、横方向に延びた略矩形の平板状の部材である。天板２０２は、カウンター部材２００の略水平な上面を形成する。カウンター部材２００は、天板２０２の上に、シャンプーのボトルなどの物品を載置可能とする。
【００７０】
複数の支持体２０４は、横方向に並べて第２壁パネル１１２に取り付けられ、天板２０２を支持する。各支持体２０４は、例えば、天板２０２を第２壁パネル１１２から僅かに離間させた状態で支持する。なお、図８〜図１０では、便宜的に、第２壁パネル１１２の一部分のみを図示している。
【００７１】
水栓機能部２０６は、例えば、湯水を吐水する吐水口、吐水口からの湯水の吐止水を切り替えるための操作部、及び、吐水口から吐水される湯水の温度及び流量を調節するための調節部などを有する。水栓機能部２０６は、各支持体２０４のいずれかに取り付けられることにより、各支持体２０４に支持される。
【００７２】
補強板２０８、２１０、２１２は、各支持体２０４の間に架け渡されるように、各支持体２０４の上に設けられる。天板２０２は、補強板２０８、２１０、２１２の上に設けられる。これにより、補強板２０８、２１０、２１２は、天板２０２の撓みを抑制する。
【００７３】
側方カバー２１４、２１６は、例えば、補強板２０８の両側端に取り付けられ、補強板２０８の側方に空く隙間を塞ぐ。カバー２１８は、各支持体２０４の上に取り付けられ、天板２０２と第２壁パネル１１２との間の部分の各支持体２０４の上方を覆うとともに、天板２０２と第２壁パネル１１２との間の部分の各支持体２０４の側方を覆う。
【００７４】
下側カバー２２０は、各支持体２０４の下方に取り付けられ、天板２０２の下方を覆う。すなわち、下側カバー２２０は、各支持体２０４や水栓機能部２０６などが下方に露出することを抑制する。また、下側カバー２２０は、開口部２２０ａを有する。開口部２２０ａは、下側カバー２２０の下端部に設けられ、第２壁パネル１１２との間に隙間を形成する。
【００７５】
照明装置１０ａは、各支持体２０４の下方に取り付けられる。照明装置１０ａは、取付部材１４の固定部４０を各支持体２０４にネジ止めすることにより、各支持体２０４の下方に取り付けられる。照明装置１０ａは、例えば、天板２０２と下側カバー２２０とで囲まれた空間内に配置される。すなわち、照明装置１０ａは、本体部２０１内に設けられる。また、照明装置１０ａは、上下方向において下側カバー２２０の開口部２２０ａと対向するように各支持体２０４の下方に取り付けられる。これにより、照明装置１０ａは、下側カバー２２０の開口部２２０ａを介して下方に向けて光を照射する。これにより、カウンター部材２００から下方に向けて光を照射し、カウンター部材２００の下方に暗がりが生じてしまうことを抑制することができる。なお、照明装置１０ａの下端は、例えば、下側カバー２２０の開口部２２０ａから僅かに下方に突出していてもよい。
【００７６】
また、照明装置１０ａの連通配管５０及び接続部材５２は、前方から見た状態においてカウンター部材２００の本体部２０１に隠れる位置に配置される。連通配管５０及び接続部材５２は、本体部２０１内に設けられる。これにより、照明部材１２内の空間ＳＰ１と、第２壁パネル１１２の裏側の空間ＳＰ２と、を連通配管５０で連通させる場合にも、カウンター部材２００の美観の低下を抑制することができる。
【００７７】
図９に表したように、下側カバー２２０は、照明装置１０ａの取付部材１４の支持部４２の前面を覆う。支持部４２は、係合部４２ｅを有する。係合部４２ｅは、支持部４２の前面に設けられ、上方からの係合を可能とする。下側カバー２２０の支持部４２側の下端部２２０ｂは、係合部４２ｅの上に係合している。
【００７８】
図１０に表したように、カバー２１８は、支持部４２の左右方向の両端を覆う。これにより、カバー２１８は、支持部４２の左右方向の一端側に設けられた開口部４２ｄを隠蔽する。カバー２１８は、必ずしも支持部４２の左右方向の両端を覆わなくてもよい。カバー２１８は、開口部４２ｄを隠蔽するように支持部４２の左右方向の少なくとも一端側を覆っていればよい。
【００７９】
図１１は、実施形態に係るカウンター部材を模式的に表す分解斜視図である。  
図１２は、実施形態に係るカウンター部材を模式的に表す断面図である。  
図１１及び図１２に表したように、カウンター部材３００は、第２壁パネル１１２の第２壁面１１２ａに設けられる本体部３０１と、本体部３０１の下部に取り付けられた照明装置１０ｂと、を備える。
【００８０】
本体部３０１は、例えば、天板３０２と、支持体３０４と、補強板３０６と、カバー３０８と、を有する。
【００８１】
天板３０２は、横方向に延びた略矩形の平板状の部材である。天板３０２は、カウンター部材３００の略水平な上面を形成する。カウンター部材３００は、天板３０２の上に、洗面器やシャンプーのボトルなどの物品を載置可能とする。
【００８２】
支持体３０４は、第２壁パネル１１２に取り付けられ、天板３０２を支持する。支持体３０４は、例えば、天板３０２を第２壁パネル１１２から僅かに離間させた状態で支持する。なお、図１１及び図１２では、便宜的に、第２壁パネル１１２の一部分のみを図示している。
【００８３】
補強板３０６は、天板３０２と支持体３０４との間に設けられる。天板３０２は、補強板３０６の上に設けられる。これにより、補強板３０６は、天板３０２の撓みを抑制する。
【００８４】
カバー３０８は、支持体３０４の下方に取り付けられ、支持体３０４及び補強板３０６の前方及び下方を覆う。これにより、カバー３０８は、支持体３０４及び補強板３０６が外部に露出することを抑制する。また、カバー３０８は、下方に開口する開口部３０８ａを有する。
【００８５】
照明装置１０ｂは、連結部材３１０を介して支持体３０４の下方に取り付けられる。連結部材３１０の一端は、取付部材１４の固定部４０に取り付けられる。連結部材３１０の他端は、支持体３０４に取り付けられる。これにより、照明装置１０ｂは、支持体３０４の下方に取り付けられる。照明装置１０ｂは、例えば、天板３０２とカバー３０８とで囲まれた空間内に配置される。すなわち、照明装置１０ｂは、本体部３０１内に設けられる。また、照明装置１０ｂは、上下方向においてカバー３０８の開口部３０８ａと対向するように支持体３０４の下方に取り付けられる。これにより、照明装置１０ｂは、カバー３０８の開口部３０８ａを介して下方に向けて光を照射する。これにより、カウンター部材３００から下方に向けて光を照射し、カウンター部材３００の下方に暗がりが生じてしまうことを抑制することができる。照明装置１０ｂの下端は、例えば、カバー３０８の開口部３０８ａから僅かに下方に突出していてもよい。
【００８６】
照明装置１０ｂの連通配管５０及び接続部材５２は、前方から見た状態においてカウンター部材３００の本体部３０１（カバー３０８）に隠れる位置に配置される。連通配管５０及び接続部材５２は、本体部３０１内に設けられる。これにより、照明部材１２内の空間ＳＰ１と、第２壁パネル１１２の裏側の空間ＳＰ２と、を連通配管５０で連通させる場合にも、カウンター部材３００の美観の低下を抑制することができる。
【００８７】
この例では、カバー３０８が、支持部４２の左右方向の両端を覆う。カバー３０８が、支持部４２の左右方向の一端側に設けられた開口部４２ｄを隠蔽する。カバー３０８は、必ずしも支持部４２の左右方向の両端を覆わなくてもよい。カバー３０８は、開口部４２ｄを隠蔽するように支持部４２の左右方向の少なくとも一端側を覆っていればよい。
【００８８】
以上、説明したように、本実施形態に係る照明装置１０、１０ａ、１０ｂによれば、連続した筒状の収納ケース２２に光源部２０を収納し、収納ケース２２の両端の開口２２ａ、２２ｂを一対のキャップ２４、２６で塞いでいる。これにより、カバーと水回り部材との接合部分の全域をシールする場合などと比べて、シールが必要な領域を低減させることができる。また、取付部材１４は、係合によって収納ケース２２を支持している。これにより、収納ケース２２にネジ孔などを設ける必要がなく、シールが必要な領域を、より低減させることができる。従って、コストの増加を抑えつつ、施工ミスなどによる光源部２０の被水をより確実に抑制することができる。また、収納ケース２２は、連続した筒状であるため、押出成形などによって比較的容易に成形することができる。これにより、部材コストをより抑えることができる。
【００８９】
また、照明装置１０、１０ａ、１０ｂでは、支持部４２が、第１部分４２ａと、第２部分４２ｂと、第３部分４２ｃと、を有するとともに、遮光性を有する。これにより、収納ケース２２の下面以外からの光の漏れを支持部４２によって抑制することができ、下面からの光の照度を向上させることができる。
【００９０】
また、照明装置１０、１０ａ、１０ｂでは、支持部４２の左右方向の少なくとも一端側が、開口部４２ｄを有する。これにより、収納ケース２２を係合させながら支持部４２に挿入することができるので、収納ケース２２の取付作業性を向上させることができる。また、収納ケース２２内の光源部２０の発する熱などによって収納ケース２２が左右方向に膨張したとしても、開口部４２ｄから収納ケース２２の膨張した部分を逃がすことができ、収納ケース２２の破損やシール性の低下などを抑制することができる。
【００９１】
例えば、カウンター部材２００、３００が長尺に形成された場合、デザイン性の面から、照明装置１０、１０ａ、１０ｂから照射される光の幅も、カウンター部材２００、３００の長さに合わせて長くすることが好ましい。この場合、収納ケース２２もカウンター部材２００、３００の長さに合わせて長尺にする必要がある。照明装置１０、１０ａ、１０ｂでは、支持部４２の剛性を高くすることにより、自重による収納ケース２２の撓みを抑制することができる。これにより、収納ケース２２や光源部２０の破損などを抑制することができる。
【００９２】
また、カウンター部材２００、３００では、開口部４２ｄを隠蔽するように支持部４２の左右方向の少なくとも一端側を覆うカバー２１８、３０８を有する。これにより、開口部４２ｄを隠蔽できるため、カウンター部材２００、３００の意匠性を向上させることができる。また、開口部４２ｄを隠蔽することにより、使用者が収納ケース２２を外してしまうことを抑制でき、使用者がキャップ２４、２６を外すなどして収納ケース２２のシール性を低下させてしまうことを抑制することができる。なお、開口部４２ｄを隠蔽するように支持部４２の左右方向の少なくとも一端側を覆うカバーは、照明装置１０、１０ａ、１０ｂに設けてもよい。
【００９３】
また、カウンター部材２００では、下側カバー２２０の支持部４２側の下端部２２０ｂが、係合部４２ｅの上に係合している。これにより、下側カバー２２０の自重により、下側カバー２２０の支持部４２側の下端部２２０ｂが、収納ケース２２の下面よりも下方に下がってしまうことを抑制することができる。これにより、下側カバー２２０の支持部４２側の下端部２２０ｂによって、照明部材１２から照明される光の一部が遮られ、照明部材１２の照射範囲が、目標とする範囲よりも狭くなってしまうことを抑制することができる。
【００９４】
この例では、下側カバー２２０が、支持部４２の前面を覆っている。これとは反対に、支持部４２の後面を覆うカバーにおいて、上記のように、カバーの支持部４２側の下端部を、支持部４２の係合部の上に係合させてもよい。この場合にも、上記と同様に、照明部材１２の照射範囲が、目標とする範囲よりも狭くなってしまうことを抑制することができる。
【００９５】
また、浴室ユニット１００では、第１壁面１１１ａから開口部４２ｄまでの距離Ｄ２１が、収納ケース２２の左右方向の長さＬ２１よりも長く、浴槽１０２から開口部４２ｄまでの距離Ｄ２２が、収納ケース２２の左右方向の長さＬ２１よりも長い。
【００９６】
これにより、取付部材１４をカウンター部材３００に取り付けた状態のまま、収納ケース２２を取付部材１４の開口部４２ｄから抜き出して取り外すことができるため、施工後のメンテナンス作業などをし易くすることができる。通常、浴槽１０２と第１壁面１１１ａとの間の距離はそれほど長くはないため、このような空間に配置されるカウンター部材３００はそれほど長尺にはならならない。そのため、収納ケース２２もそれほど長尺にはならず、収納ケース２２のみを取付部材１４から取り外しても収納ケース２２が自重によって破損するほど撓む可能性も低い。従って、浴槽１０２と第１壁面１１１ａとの間に照明装置１０ｂを設けた場合には、収納ケース２２のみを取り外すことも可能である。
【００９７】
また、浴室ユニット１００では、第１壁面１１１ａから開口部４２ｄまでの距離Ｄ２１が、収納ケース２２に各キャップ２４、２６を取り付けた状態のキャップ２４の端部からキャップ２６の端部までの長さＬ２２よりも長く、浴槽１０２から開口部４２ｄまでの距離Ｄ２２が、収納ケース２２に各キャップ２４、２６を取り付けた状態のキャップ２４の端部からキャップ２６の端部までの長さＬ２２よりも長い。これにより、収納ケース２２に各キャップ２４、２６を取り付けた状態においても、取付部材１４の開口部４２ｄから抜き出して取り外すことができ、施工後のメンテナンス作業などを、よりし易くすることができる。
【００９８】
また、浴室ユニット１００では、第１壁面１１１ａから開口部４２ｄまでの距離Ｄ１１が、収納ケース２２の左右方向の長さＬ１１よりも短く、第３壁面１１３ａから開口部４２ｄまでの距離Ｄ１２が、収納ケース２２の左右方向の長さＬ１１よりも短い。
【００９９】
これにより、収納ケース２２を取付部材１４から抜こうとした時に、収納ケース２２が第１壁面１１１ａ又は第３壁面１１３ａに干渉するため、収納ケース２２を取付部材１４から抜くことができない。これにより、メンテナンス時などに作業者が長尺な収納ケース２２だけを取り外してしまうことを抑制することができる。例えば、カウンター部材２００の下側カバー２２０を取り外させ、照明装置１０ａを各支持体２０４から取り外させることにより、支持部４２に支持された状態で、収納ケース２２をカウンター部材２００から取り外させることができる。従って、長尺な収納ケース２２が撓んで破損してしまうことなどを抑制することができる。
【０１００】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、照明装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０１】
１０、１０ａ、１０ｂ 照明装置、  １２ 照明部材、  １４ 取付部材、  ２０ 光源部、  ２２ 収納ケース、  ２４、２６ キャップ、  ２８ 放熱板、  ３０ 基板、  ３２ 発光体、  ４０ 固定部、  ４２ 支持部、  ５０ 連通配管、  ５２ 接続部材、  ５３、５４ ホースバンド、  ５６ 虫侵入抑制部材、  ５８ 配線部材、  １００ 浴室ユニット（水回り設備）、  １０２ 浴槽、  １０４ 洗い場床、  １０６ 鏡、  １１１ 第１壁パネル、  １１２ 第２壁パネル、  １１３ 第３壁パネル、  ２００、３００ カウンター部材（水回り部材）、  ２０１ 本体部、  ２０２ 天板、  ２０４ 支持体、  ２０６ 水栓機能部、  ２０８、２１０、２１２ 補強板、  ２１４、２１６ 側方カバー、  ２１８ カバー、  ２２０ 下側カバー、  ３０１ 本体部、  ３０２ 天板、  ３０４ 支持体、  ３０６ 補強板、  ３０８ カバー
【図１】
2018163791.tif 000003
【図２】
2018163791.tif 000004
【図３】
2018163791.tif 000005
【図４】
2018163791.tif 000006
【図５】
2018163791.tif 000007
【図６】
2018163791.tif 000008
【図７】
2018163791.tif 000009
【図８】
2018163791.tif 000010
【図９】
2018163791.tif 000011
【図１０】
2018163791.tif 000012
【図１１】
2018163791.tif 000013
【図１２】
2018163791.tif 000014